(57)【要約】【課題】電気伝送線路を介して複数の信号を安価に伝送または中継することのできる伝送システムおよび中継装置を提供する。【解決手段】伝送システム１００は、第１伝送装置１０と、電気伝送線路ＥＬを介して第１伝送装置１０に接続する第２伝送装置５０Ａ，５０Ｂと、を備え、第１伝送装置１０は、第１基準周波数に基づいて複数の無線信号Ｆ1，Ｆ2をそれぞれ互いに異なる周波数の複数の第１伝送信号に変換する変換部と、第１基準周波数の第１基準信号と複数の第１伝送信号とを合成して電気伝送線路ＥＬを介して伝送する伝送部と、を備え、第２伝送装置５０Ａ，５０Ｂは、第１基準信号に基づいて、複数の第１伝送信号を複数の無線信号Ｆ1，Ｆ2に変換する再変換部と、変換された複数の無線信号のうち、それぞれに対応する無線信号を送信する複数のアンテナと、を備える。【選択図】図１
2014090382.tif 000002
【特許請求の範囲】
【請求項１】
電気伝送線路を介して複数の無線信号を伝送する伝送システムであって、
第１伝送装置と、
前記電気伝送線路を介して前記第１伝送装置に接続する第２伝送装置と、を備え、
前記第１伝送装置は、第１基準周波数に基づいて、前記複数の無線信号をそれぞれ互いに異なる周波数の複数の第１伝送信号に変換する変換部と、前記第１基準周波数の第１基準信号と前記複数の第１伝送信号とを合成して前記電気伝送線路を介して伝送する伝送部と、を備え、
前記第２伝送装置は、前記第１基準信号に基づいて、前記複数の第１伝送信号を前記複数の無線信号に変換する再変換部と、変換された前記複数の無線信号のうち、それぞれに対応する無線信号を送信する複数のアンテナと、を備える、
伝送システム。
【請求項２】
前記第２伝送装置は、第２基準周波数に基づいて、前記複数のアンテナが受信した前記複数の無線信号をそれぞれ互いに異なる周波数の複数の第２伝送信号に変換する変換部と、前記第２基準周波数の第２基準信号と前記複数の第２伝送信号とを合成して前記電気伝送線路を介して伝送する伝送部と、をさらに備え、
前記第１伝送装置は、前記第２基準信号に基づいて、前記複数の第２伝送信号を前記複数の無線信号に変換する再変換部をさらに備える、
請求項１に記載の伝送システム。
【請求項３】
前記複数の第１伝送信号と前記複数の第２伝送信号とは、それぞれ互いに異なる周波数である、
請求項１または２に記載の伝送システム。
【請求項４】
前記第２伝送装置を複数備える、
請求項１ないし３のいずれかに記載の伝送システム。
【請求項５】
電気伝送線路を介して複数の通信信号を中継する中継装置であって、
第１基準周波数に基づいて、前記複数の通信信号をそれぞれ互いに異なる周波数の複数の第１伝送信号に変換する変換部と、
前記第１基準周波数の第１基準信号と前記複数の第１伝送信号とを合成して前記電気伝送線路を介して伝送する伝送部と、
前記電気伝送線路を介して伝送される第２基準周波数の第２基準信号に基づいて、前記第２基準信号とともに伝送される複数の第２伝送信号を、前記複数の通信信号に変換する再変換部と、を備える、
中継装置。
【発明の詳細な説明】
【技術分野】
【０００１】
本発明に係るいくつかの態様は、例えば、電気伝送線路を介して複数の信号を伝送または中継する伝送システムおよび中継装置に関する。
【背景技術】
【０００２】
従来、複数の無線信号を搬送するシステムとして、第１および第２の無線周波数信号を第１および第２の光信号に変換し、変換した第１および第２の光信号を、光ファイバを介して各アクセスポイントから中央処理基地局に伝送するようにしたものが知られている（例えば、特許文献１参照）。
【先行技術文献】
【特許文献】
【０００３】
【特許文献１】特開２００４−５６８２１号公報
【発明の概要】
【発明が解決しようとする課題】
【０００４】
一方、同軸ケーブルなどの電気伝送線路を介して複数の信号を伝送または中継する場合、当該複数の信号が同一の周波数帯を使用していると、その信号の数だけ電気伝送線が必要であった。そのため、電気伝送線の数が増えることにより電気伝送線路のコストが増加する場合があった。
【０００５】
本発明のいくつかの態様は前述の問題に鑑みてなされたものであり、電気伝送線路を介して複数の信号を安価に伝送または中継することのできる伝送システムおよび中継装置を提供することを目的の１つとする。
【課題を解決するための手段】
【０００６】
本発明に係る伝送システムは、電気伝送線路を介して複数の無線信号を伝送する伝送システムであって、第１伝送装置と、前述の電気伝送線路を介して第１伝送装置に接続する第２伝送装置と、を備え、第１伝送装置は、第１基準周波数に基づいて、前述の複数の無線信号をそれぞれ互いに異なる周波数の複数の第１伝送信号に変換する変換部と、第１基準周波数の第１基準信号と複数の第１伝送信号とを合成して前述の電気伝送線路を介して伝送する伝送部と、を備え、第２伝送装置は、第１基準信号に基づいて、複数の第１伝送信号を前述の複数の無線信号に変換する再変換部と、変換された複数の無線信号のうち、それぞれに対応する無線信号を送信する複数のアンテナと、を備える。
【０００７】
好ましくは、第２伝送装置は、第２基準周波数に基づいて、複数のアンテナが受信した前述の複数の無線信号をそれぞれ互いに異なる周波数の複数の第２伝送信号に変換する変換部と、第２基準周波数の第２基準信号と複数の第２伝送信号とを合成して前述の電気伝送線路を介して伝送する伝送部と、をさらに備え、第１伝送装置は、第２基準信号に基づいて、複数の第２伝送信号を前述の複数の無線信号に変換する再変換部をさらに備える。
【０００８】
好ましくは、複数の第１伝送信号と複数の第２伝送信号とは、それぞれ互いに異なる周波数である。
【０００９】
好ましくは、第２伝送装置を複数備える。
【００１０】
また、本発明に係る中継装置は、電気伝送線路を介して複数の通信信号を中継する中継装置であって、第１基準周波数に基づいて、前述の複数の通信信号をそれぞれ互いに異なる周波数の複数の第１伝送信号に変換する変換部と、第１基準周波数の第１基準信号と複数の第１伝送信号とを合成して前述の電気伝送線路を介して伝送する伝送部と、前述の電気伝送線路を介して伝送される第２基準周波数の第２基準信号に基づいて、第２基準信号とともに伝送される複数の第２伝送信号を、前述の複数の通信信号に変換する再変換部と、を備える。
【発明の効果】
【００１１】
本発明の伝送システムによれば、第１伝送装置が、第１基準周波数に基づいて、複数の無線信号を、それぞれ互いに異なる周波数の複数の第１伝送信号に変換し、第１基準周波数の第１基準信号と複数の第１伝送信号とを合成することにより、合成した信号を、複数の無線信号を含む１つの電気信号として電気伝送線路を介して伝送することが可能となる。また、第２伝送装置が、第１基準信号に基づいて、複数の第１伝送信号を複数の無線信号に変換することにより、電気伝送線路ＥＬを介して伝送された信号から、複数の無線信号を再現（復元）することが可能となる。したがって、複数の無線信号を１本の電気伝送線で第１伝送装置から第２伝送装置に伝送することができ、伝送する無線信号の数が増えても電気伝送線の数を増やす必要がなく、従来と比較して、電気伝送線路のコストを削減することができ、電気伝送線路を介して複数の無線信号を伝送する伝送システムを安価に構成（実現）することができる。
【００１２】
また、本発明の中継装置によれば、中継装置が第１基準周波数に基づいて、複数の通信信号を、それぞれ互いに異なる周波数の複数の第１伝送信号に変換し、第１基準周波数の第１基準信号と複数の第１伝送信号とを合成することにより、合成した信号を、複数の通信信号を含む１つの電気信号として電気伝送線路を介して伝送することが可能となる。また、中継装置が、第２基準信号に基づいて、複数の第２伝送信号を複数の通信信号に変換することにより、電気伝送線路を介して伝送された信号から、複数の通信信号を再現（復元）することが可能となる。したがって、中継装置は、１本の電気伝送線で複数の通信信号を中継することができ、中継する通信信号の数が増えても電気伝送線の数を増やす必要がなく、従来と比較して、電気伝送線路のコストを削減することができ、電気伝送線路を介して複数の通信信号を安価に中継することができる。
【図面の簡単な説明】
【００１３】
【図１】一実施形態における無線通信システムの概略構成を説明するブロック図である。
【図２】図１に示した第１伝送装置の構成を説明するブロック図である。
【図３】複数の無線信号および第１合成信号の周波数スペクトルを示すグラフである。
【図４】図１に示した第２伝送装置の構成を説明するブロック図である。
【図５】複数の無線信号および第２合成信号の周波数スペクトルを示すグラフである。
【図６】一実施形態における中継システムの概略構成を説明するブロック図である。
【発明を実施するための形態】
【００１４】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００１５】
［伝送システム］
図１ないし図５は、本発明に係る伝送システムの一実施形態を示すためのものである。図１は、一実施形態における無線通信システムＲＳの概略構成を説明するブロック図である。図１に示すように、無線通信システムＲＳは、無線基地局Ｂと、伝送システム１００と、移動局Ｍ１および移動局Ｍ２と、を備える。
【００１６】
無線基地局Ｂは、複数の無線信号を中継するための基地局である。無線基地局Ｂは、ＭＩＭＯ（Multi Input Multi Output）方式に対応するために、アンテナｂ１およびアンテナｂ２を備え、アンテナｂ１を用いて無線信号Ｆ1を無線で通信（送受信）し、アンテナｂ２を用いて無線信号Ｆ2を無線で通信（送受信）する。２つの無線信号Ｆ1，Ｆ2は、ともに同一の周波数ｆ0を中心とする所定の周波数帯域を有する信号である。
【００１７】
伝送システム１００は、電気伝送線路ＥＬを介して２つの無線信号Ｆ1，Ｆ2を伝送する。伝送システム１００は、第１伝送装置１０と、電気伝送線路ＥＬを介して第１伝送装置１０に接続する第２伝送装置５０Ａおよび第２伝送装置５０Ｂと、を備える。
【００１８】
電気伝送線路ＥＬは、第１伝送装置１０と第２伝送装置５０Ａおよび第２伝送装置５０Ｂとの間で電気信号を伝送するためのものである。電気伝送線路ＥＬは、第１伝送装置１０と第２伝送装置５０Ａとを接続する電気伝送線ＥＬ1と、第１伝送装置１０と第２伝送装置５０Ｂとを接続する電気伝送線ＥＬ2と、を備える。電気伝送線ＥＬ1および電気伝送線ＥＬ2は、それぞれ、例えば、同軸ケーブルなどで構成することが可能である。
【００１９】
第１伝送装置１０は、信号線Ｌ1および信号線Ｌ2を介して無線基地局Ｂと接続する。第１伝送装置１０は、無線基地局Ｂとの間で、信号線Ｌ1を介して無線信号Ｆ1を送受信し、信号線Ｌ2を介して無線信号Ｆ2を送受信する。また、第１伝送装置１０は、電気伝送線ＥＬ1を介して、後述する第１合成信号ＦXを第２伝送装置５０Ａに伝送し、電気伝送線ＥＬ2を介して、第１合成信号ＦXを第２伝送装置５０Ｂに伝送する。
【００２０】
第２伝送装置５０Ａは、携帯電話機などの移動局Ｍ１との間で、無線信号Ｆ1および無線信号Ｆ2を無線で通信（送受信）する。また、第２伝送装置５０Ａは、電気伝送線ＥＬ1を介して、後述する第２合成信号ＦYを第１伝送装置１０に伝送する。第２伝送装置５０Ｂは、第２伝送装置５０Ａと同様に、携帯電話機などの移動局Ｍ２との間で、無線信号Ｆ1および無線信号Ｆ2を無線で通信（送受信）する。また、第２伝送装置５０Ｂは、電気伝送線路ＥＬ2を介して、第２合成信号ＦYを第１伝送装置１０に伝送する。
【００２１】
図２は、図１に示した第１伝送装置１０の構成を説明するブロック図である。図２に示すように、第１伝送装置１０は、変換部２０と、伝送部３０と、再変換部４０と、を備える。
【００２２】
変換部２０には、信号線Ｌ1および信号線Ｌ2が接続されており、信号線Ｌ1からは無線信号Ｆ1が、信号線Ｌ2からは無線信号Ｆ2が、それぞれ送信され、入力される。変換部２０は、第１基準周波数ｆR1に基づいて、無線信号Ｆ1を第１伝送信号ＦAに、無線信号Ｆ2を第１伝送信号ＦBに、それぞれ変換する。第１伝送信号ＦAは、周波数ｆAを中心とする所定の周波数帯域を有する信号である。第１伝送信号ＦBは、周波数ｆBを中心とする所定の周波数帯域を有する信号である。周波数ｆAと周波数ｆBとは、互いに異なる周波数である。変換部２０は、例えば、発信回路（オシレータ）、位相同期回路（ＰＬＬ）、バンドパスフィルタ、デュプレクサ（分波器）などで構成することが可能である。
【００２３】
また、変換部２０は、変換した第１伝送信号ＦAおよび第１伝送信号ＦBと、第１基準周波数ｆR1を有する第１基準信号ＦR1と、を伝送部３０に出力する。
【００２４】
伝送部３０は、第１基準周波数ｆR1の第１基準信号ＦR1と、変換部２０において変換した第１伝送信号ＦAおよび第１伝送信号ＦBと、を合成して電気伝送線路ＥＬを介して伝送する。具体的には、伝送部３０は、第１基準信号ＦR1と、第１伝送信号ＦAと、第１伝送信号ＦBと、を合成して第１合成信号ＦXを作成する。そして、伝送部３０は、合成した第１合成信号ＦXを、電気伝送線ＥＬ1を介して第２伝送装置５０Ａに伝送するとともに、電気伝送線ＥＬ2を介して第２伝送装置５０Ｂに伝送する。これにより、第１合成信号ＦXが第２伝送装置５０Ａおよび第２伝送装置５０Ｂに分配される。
【００２５】
また、伝送部３０は、電気伝送線ＥＬ1および電気伝送線ＥＬ2を介して伝送される第２合成信号ＦYを再変換部４０に出力する。
【００２６】
再変換部４０は、電気伝送線ＥＬ1および電気伝送線ＥＬ2を介して伝送される第２合成信号ＦYにおいて、第２基準信号ＦR2に基づいて、第２伝送信号ＦCを無線信号Ｆ1に、第２伝送信号ＦDを無線信号Ｆ2に、それぞれ変換する。なお、第２基準信号ＦR2、第２伝送信号ＦC、および第２伝送信号ＦDについては、後述する。
【００２７】
また、再変換部４０には、信号線Ｌ1および信号線Ｌ2が接続される。再変換部４０は、変換した無線信号Ｆ1を信号線Ｌ1に、変換した無線信号Ｆ2を信号線Ｌ2に、それぞれ出力し、無線基地局Ｂに送信する。再変換部４０は、例えば、位相同期回路（ＰＬＬ）、バンドパスフィルタ、デュプレクサ（分波器）などで構成することが可能である。
【００２８】
本実施形態では、説明の都合上、変換部２０と再変換部４０とを分けて記載したが、これに限定されない。変換部２０と再変換部４０とは、物理的な機械部品（ハードウェア）の多くが共通するため、第１伝送装置１０は、変換部２０および再変換部４０を一体として備えるようにしてもよい。
【００２９】
図３は、複数の無線信号Ｆ1，Ｆ2および第１合成信号ＦXの周波数スペクトルを示すグラフである。なお、図３において、横軸は周波数ｆを表し、縦軸は振幅Ａを表す。図３に示すように、破線で示す無線信号Ｆ1および無線信号Ｆ2は、周波数ｆ0を中心とする所定の周波数帯域において、相対的に高い振幅を有する。一方、実線で示す第１合成信号ＦXは、第１基準周波数ｆR1と、周波数ｆAを中心とする所定の周波数帯域と、周波数ｆBを中心とする所定の周波数帯域とにおいて、相対的に高い振幅を有する。よって、第１基準周波数ｆR1に基づいて、２つの無線信号Ｆ1，Ｆ2を、それぞれ互いに異なる周波数ｆAの第１伝送信号ＦAと周波数ｆBの第１伝送信号ＦBとに、それぞれ変換し、第１基準周波数ｆR1の第１基準信号ＦR1と第１伝送信号ＦAおよび第１伝送信号ＦBとを合成することにより、合成した第１合成信号ＦXを、複数の無線信号Ｆ1，Ｆ2を含む１つの電気信号として電気伝送線路ＥＬを介して伝送することが可能となる。
【００３０】
本実施形態では、第１伝送信号ＦAの周波数ｆAおよび第１伝送信号ＦBの周波数ｆBとして、第１基準周波数ｆR1より高い周波数の例を示したが、これに限定されない。例えば、周波数ｆAおよび周波数ｆBのうちの少なくとも一つを、第１基準周波数ｆR1より低い周波数としてもよい。
【００３１】
また、本実施形態では、第１伝送信号ＦAの周波数ｆAおよび第１伝送信号ＦBの周波数ｆBの両方が、無線信号Ｆ1および無線信号Ｆ2の周波数ｆ0と異なる例を示したが、これに限定されない。例えば、周波数ｆBが周波数ｆ0と同一であってもよい。この場合、第１伝送信号ＦBの周波数は周波数ｆ0となるが、周波数ｆ0と周波数ｆAとが互いに異なっていればよい。
【００３２】
第１伝送装置１０には、外部の商用電源（図示省略）から電力が供給される。しかし、第１伝送装置１０は商用電源から電力が供給される場合に限定されず、例えば、第１伝送装置１０はキャパシタや二次電池などの蓄電装置を備える（内蔵する）ようにしてもよい。
【００３３】
図４は、図１に示した各第２伝送装置５０Ａ，５０Ｂの構成を説明するブロック図である。図２に示すように、第２伝送装置５０Ａおよび第２伝送装置５０Ｂは、それぞれ、再変換部６０と、変換部７０と、伝送部８０と、アンテナ５１およびアンテナ５２と、を備える。
【００３４】
再変換部６０は、電気伝送線ＥＬ1または電気伝送線ＥＬ2を介して伝送される第１合成信号ＦXにおいて、第１基準信号ＦR1に基づいて、第１伝送信号ＦAを無線信号Ｆ1に、第１伝送信号ＦBを無線信号Ｆ2に、それぞれ変換する。これにより、電気伝送線路ＥＬを介して伝送された第１合成信号ＦXから、複数の無線信号Ｆ1，Ｆ2を再現（復元）することが可能となる。
【００３５】
再変換部６０は、例えば、位相同期回路（ＰＬＬ）、バンドパスフィルタ、デュプレクサ（分波器）などで構成することが可能である。
【００３６】
また、再変換部６０には、アンテナ５１およびアンテナ５２が接続される。再変換部７０は、変換した無線信号Ｆ1をアンテナ５１に、変換した無線信号Ｆ2をアンテナ５２に、それぞれ出力する。これにより、アンテナ５１は無線信号Ｆ1を送信し、アンテナ５２は無線信号Ｆ2を送信することができる。
【００３７】
変換部７０には、アンテナ５１およびアンテナ５２が接続されており、アンテナ５１が受信する無線信号Ｆ1と、アンテナ５２が受信する無線信号Ｆ2とが、それぞれ入力される。変換部７０は、第２基準周波数ｆR2に基づいて、無線信号Ｆ1を第２伝送信号ＦCに、無線信号Ｆ2を第２伝送信号ＦDに、それぞれ変換する。第２伝送信号ＦCは、周波数ｆCを中心とする所定の周波数帯域を有する信号である。第２伝送信号ＦDは、周波数ｆDを中心とする所定の周波数帯域を有する信号である。周波数ｆCと周波数ｆDとは、互いに異なる周波数である。変換部７０は、例えば、発信回路（オシレータ）、位相同期回路（ＰＬＬ）、バンドパスフィルタ、デュプレクサ（分波器）などで構成することが可能である。
【００３８】
また、変換部７０は、変換した第２伝送信号ＦCおよび第２伝送信号ＦDと、第２基準周波数ｆR2を有する第２基準信号ＦR2とを、伝送部８０に出力する。
【００３９】
伝送部８０は、第２基準周波数ｆR2の第２基準信号ＦR2と、変換部７０において変換した第２伝送信号ＦCおよび第２伝送信号ＦDと、を合成して電気伝送線路ＥＬを介して伝送する。具体的には、伝送部８０は、第２基準信号ＦR2と、第２伝送信号ＦCと、第２伝送信号ＦDと、を合成して第２合成信号ＦYを作成する。そして、伝送部８０は、合成した第２合成信号ＦYを、電気伝送線ＥＬ1または電気伝送線ＥＬ2を介して第１伝送装置１０に伝送する。
【００４０】
また、伝送部８０は、電気伝送線ＥＬ1または電気伝送線ＥＬ2を介して伝送される第１合成信号ＦXを再変換部６０に出力する。
【００４１】
本実施形態では、説明の都合上、再変換部６０と変換部７０とを分けて記載したが、これに限定されない。再変換部６０と変換部７０とは、その物理的な機械部品（ハードウェア）の多くが共通するため、第２伝送装置５０Ａおよび第２伝送装置５０Ｂのうちの少なくとも一つは、再変換部６０および変換部７０を一体として備えるようにしてもよい。
【００４２】
図５は、複数の無線信号Ｆ1，Ｆ2および第２合成信号ＦYの周波数スペクトルを示すグラフである。なお、図５において、横軸は周波数ｆを表し、縦軸は振幅Ａを表す。図５に示すように、破線で示す無線信号Ｆ1および無線信号Ｆ2は、周波数ｆ0を中心とする所定の周波数帯域において、相対的に高い振幅を有する。一方、実線で示す第２合成信号ＦYは、第２基準周波数ｆR2と、周波数ｆCを中心とする所定の周波数帯域と、周波数ｆDを中心とする所定の周波数帯域とにおいて、相対的に高い振幅を有する。なお、比較のために、第１合成信号ＦXを一点鎖線で示す。よって、第２基準周波数ｆR2に基づいて、２つの無線信号Ｆ1，Ｆ2を、それぞれ互いに異なる周波数ｆCの第２伝送信号ＦCと周波数ｆDの第２伝送信号ＦDとに、それぞれ変換し、第２基準周波数ｆR2の第２基準信号ＦR2と第２伝送信号ＦCおよび第２伝送信号ＦDとを合成することにより、合成した第２合成信号ＦYを、複数の無線信号Ｆ1，Ｆ2を含む１つの電気信号として電気伝送線路ＥＬを介して伝送することが可能となる。
【００４３】
また、前述したように、第１伝送装置１０の再変換部４０が、第２基準信号ＦR2に基づいて、第２伝送信号ＦCを無線信号Ｆ1に、第２伝送信号ＦDを無線信号Ｆ2に、それぞれ変換することにより、電気伝送線路ＥＬを介して伝送された第２合成信号ＦYから、複数の無線信号Ｆ1，Ｆ2を再現（復元）することが可能となる。
【００４４】
なお、図５に示すように、第２伝送信号ＦCの周波数ｆCおよび第２伝送信号ＦDの周波数ｆDと、第１伝送信号ＦAの周波数ｆAおよび第１伝送信号ＦBの周波数ｆBとは、互いに異なる周波数であることが好ましい。これにより、電気伝送線路ＥＬにおいて、第１伝送装置１０から各第２伝送装置５０Ａ，５０Ｂに伝送される第１合成信号ＦXと、各第２伝送装置５０Ａ，５０Ｂから第１伝送装置１０に伝送される第２合成信号ＦYとを、１本の電気信号線で同時に伝送することが可能となる。したがって、複数の無線信号Ｆ1，Ｆ2を電気伝送線路ＥＬの両方向（双方向）に高速に伝送することができる。
【００４５】
また、第１基準信号ＦR1の第１基準周波数ｆR1と第２基準信号ＦR2の第２基準周波数ｆR2とは、図５に示すように互いに異なる周波数であってもよいし、同一の周波数であってもよい。
【００４６】
本実施形態では、第２伝送信号ＦCの周波数ｆCおよび第２伝送信号ＦDの周波数ｆDとして、第２基準周波数ｆR2より高い周波数の例を示したが、これに限定されない。例えば、周波数ｆCおよび周波数ｆDのうちの少なくとも一つを、第２基準周波数ｆR2より低い周波数としてもよい。
【００４７】
また、本実施形態では、第２伝送信号ＦCの周波数ｆCおよび第２伝送信号ＦDの周波数ｆDの両方が、無線信号Ｆ1および無線信号Ｆ2の周波数ｆ0と異なる例を示したが、これに限定されない。例えば、周波数ｆDが周波数ｆ0と同一であってもよい。この場合、第２伝送信号ＦDの周波数は周波数ｆ0となるが、周波数ｆ0と周波数ｆCとが互いに異なっていればよい。
【００４８】
第２伝送装置５０Ａおよび第２伝送装置５０Ｂには、それぞれ、外部の商用電源（図示省略）から電力が供給される。しかし、第２伝送装置５０Ａおよび第２伝送装置５０Ｂは商用電源から電力が供給される場合に限定されず、例えば、第２伝送装置５０Ａおよび第２伝送装置５０Ｂのうちの少なくとも一つが、キャパシタや二次電池などの蓄電装置を備える（内蔵する）ようにしてもよい。
【００４９】
本実施形態では、伝送システム１００が第２伝送装置５０Ａおよび第２伝送装置５０Ｂを備える例を示したが、これに限定されない。伝送システム１００は、少なくとも一つの第２伝送装置を備えていればよく、１つ、または、３つ以上の第２伝送装置を備えるようにしてもよい。
【００５０】
また、本実施形態では、無線基地局Ｂが２本のアンテナｂ１，ｂ２を備え、各第２伝送装置５０Ａ，５０Ｂが２本のアンテナ５１，５２を備える無線通信システムＲＳの例、すなわち、２×２ＭＩＭＯシステムの例を示したが、これに限定されない。無線基地局Ｂおよび各第２伝送装置５０Ａ，５０Ｂが３つ以上の複数のアンテナを備え、伝送システム１００が電気伝送路ＥＬを介して２以上の無線信号を伝送するようにしてもよい。
【００５１】
また、本実施形態では、説明の簡略化のために、無線基地局Ｂのアンテナｂ１，ｂ２と、各第２伝送装置５０Ａ，５０Ｂのアンテナ５１，５２と、を用いて、無線信号Ｆ1および無線信号Ｆ2を同一の周波数帯域で送受信する例、すなわち、ＴＤＤ（Time Division Duplex）方式の例を示したが、これに限定されない。無線信号Ｆ1および無線信号Ｆ2は、例えば、送信と受信とで周波数帯域が異なるＦＤＤ（Frequency Division Duplex）方式であってもよい。
【００５２】
このように、本実施形態によれば、第１伝送装置１０が、第１基準周波数ｆR1に基づいて、２つの無線信号Ｆ1，Ｆ2を、それぞれ互いに異なる周波数ｆAの第１伝送信号ＦAと周波数ｆBの第１伝送信号ＦBとに、それぞれ変換し、第１基準周波数ｆR1の第１基準信号ＦR1と第１伝送信号ＦAおよび第１伝送信号ＦBとを合成する。これにより、合成した第１合成信号ＦXを、複数の無線信号Ｆ1，Ｆ2を含む１つの電気信号として電気伝送線路ＥＬを介して伝送することが可能となる。また、各第２伝送装置５０Ａ，５０Ｂが、第１基準信号ＦR1に基づいて、第１伝送信号ＦAを無線信号Ｆ1に、第１伝送信号ＦBを無線信号Ｆ2に、それぞれ変換する。これにより、電気伝送線路ＥＬを介して伝送された第１合成信号ＦXから、複数の無線信号Ｆ1，Ｆ2を再現（復元）することが可能となる。したがって、複数の無線信号Ｆ1，Ｆ2を１本の電気伝送線で第１伝送装置１０から各第２伝送装置５０Ａ，５０Ｂに伝送することができ、伝送する無線信号の数が増えても電気伝送線の数を増やす必要がなく、従来と比較して、電気伝送線路ＥＬのコストを削減することができ、電気伝送線路ＥＬを介して複数の無線信号Ｆ1，Ｆ2を伝送する伝送システム１００を安価に構成（実現）することができる。
【００５３】
また、本実施形態によれば、各第２伝送装置５０Ａ，５０Ｂが、第２基準周波数ｆR2に基づいて、２つの無線信号Ｆ1，Ｆ2を、それぞれ互いに異なる周波数ｆCの第２伝送信号ＦCと周波数ｆDの第２伝送信号ＦDとに、それぞれ変換し、第２基準周波数ｆR2の第２基準信号ＦR2と第２伝送信号ＦCおよび第２伝送信号ＦDとを合成する。これにより、合成した第２合成信号ＦYを、複数の無線信号Ｆ1，Ｆ2を含む１つの電気信号として電気伝送線路ＥＬを介して伝送することが可能となる。また、第１伝送装置１０が、第２基準信号ＦR2に基づいて、第２伝送信号ＦCを無線信号Ｆ1に、第２伝送信号ＦDを無線信号Ｆ2に、それぞれ変換する。これにより、電気伝送線路ＥＬを介して伝送された第２合成信号ＦYから、複数の無線信号Ｆ1，Ｆ2を再現（復元）することが可能となる。したがって、複数の無線信号Ｆ1，Ｆ2を１本の電気伝送線で各第２伝送装置５０Ａ，５０Ｂから第１伝送装置１０に伝送することができ、伝送する無線信号の数が増えても電気伝送線の数を増やす必要がなく、従来と比較して、電気伝送線路ＥＬのコストを削減することができ、電気伝送線路ＥＬを介して複数の無線信号Ｆ1，Ｆ2を伝送する伝送システム１００を安価に構成（実現）することができる。
【００５４】
［中継装置］
図６は、本発明に係る中継装置の一実施形態を示すためのものである。なお、特に記載がない限り、前述した伝送システムの実施形態と同一構成部分は同一符号をもって表し、その説明を省略する。また、前述した伝送システムの実施形態と類似する構成部分は類似の符号をもって表し、その詳細な説明を省略する。さらに、図示しない構成部分は、前述した伝送システムの実施形態と同様とする。
【００５５】
図６は、一実施形態における中継システムＣＳの概略構成を説明するブロック図である。図６に示すように、中継システムＣＳは、中継装置１１０Ａと、中継装置１１０Ｂと、を備える。中継装置１１０Ａは、電気伝送線路ＥＬを介して通信信号Ｆ3および通信信号Ｆ4を中継する。また、中継装置１１０Ｂは、中継装置１１０Ａと同様に、電気伝送線路ＥＬを介して通信信号Ｆ3および通信信号Ｆ4を中継する。２つの通信信号Ｆ3，Ｆ4は、前述した無線信号Ｆ1および無線信号Ｆ1と同様に、ともに同一の周波数ｆ0を中心とする所定の周波数帯域を有する信号である。
【００５６】
中継装置１１０Ａは、変換部１２０と、伝送部１３０と、再変換部１４０と、を備える。
【００５７】
変換部１２０には、外部から有線または無線で、通信信号Ｆ3および通信信号Ｆ4が入力される。前述した第１伝送装置１０の変換部２０と同様に、第１基準周波数ｆR1に基づいて、通信信号Ｆ3を第１伝送信号ＦAに、通信信号Ｆ4を第１伝送信号ＦBに、それぞれ変換する。変換部１２０は、例えば、発信回路（オシレータ）、位相同期回路（ＰＬＬ）、バンドパスフィルタ、デュプレクサ（分波器）などで構成することが可能である。また、変換部１２０は、変換した第１伝送信号ＦAおよび第１伝送信号ＦBと、第１基準周波数ｆR1を有する第１基準信号ＦR1と、を伝送部１３０に出力する。
【００５８】
伝送部１３０は、前述した第１伝送装置１０の伝送部３０と同様に、第１基準周波数ｆR1の第１基準信号ＦR1と、変換部１２０において変換した第１伝送信号ＦAおよび第１伝送信号ＦBと、を合成して電気伝送線路ＥＬを介して伝送する。具体的には、伝送部１３０は、第１基準信号ＦR1と、第１伝送信号ＦAと、第１伝送信号ＦBと、を合成して第１合成信号ＦXを作成する。そして、伝送部１３０は、合成した第１合成信号ＦXを、電気伝送線路ＥＬを介して中継装置１１０Ｂに伝送する。
【００５９】
伝送部１３０が合成した第１合成信号ＦXは、前述しように、図３に示す周波数スペクトルを有する。よって、第１基準周波数ｆR1に基づいて、２つの通信信号Ｆ3，Ｆ4を、それぞれ互いに異なる周波数ｆAの第１伝送信号ＦAと周波数ｆBの第１伝送信号ＦBとに、それぞれ変換し、第１基準周波数ｆR1の第１基準信号ＦR1と第１伝送信号ＦAおよび第１伝送信号ＦBとを合成することにより、合成した第１合成信号ＦXを、複数の通信信号Ｆ3，Ｆ4を含む１つの電気信号として電気伝送線路ＥＬを介して伝送することが可能となる。
【００６０】
また、伝送部１３０は、電気伝送線路ＥＬを介して伝送される第２合成信号ＦYを再変換部１４０に出力する。
【００６１】
再変換部１４０は、前述した第１伝送装置１０の再変換部４０と同様に、電気伝送線路ＥＬを介して伝送される第２合成信号ＦYにおいて、第２基準信号ＦR2に基づいて、第２伝送信号ＦCを通信信号Ｆ3に、第２伝送信号ＦDを通信信号Ｆ4に、それぞれ変換する。
【００６２】
電気伝送線路ＥＬを介して伝送される第２合成信号ＦYは、前述しように、図５に示す周波数スペクトルを有する。よって、第２基準信号ＦR2に基づいて、第２伝送信号ＦCを通信信号Ｆ3に、第２伝送信号ＦDを通信信号Ｆ4に、それぞれ変換することにより、電気伝送線路ＥＬを介して伝送された第２合成信号ＦYから、複数の通信信号Ｆ3，Ｆ4を再現（復元）することが可能となる。
【００６３】
また、再変換部１４０は、変換した通信信号Ｆ3および通信信号Ｆ4を、有線または無線で外部に出力する。再変換部１４０は、例えば、位相同期回路（ＰＬＬ）、バンドパスフィルタ、デュプレクサ（分波器）などで構成することが可能である。
【００６４】
本実施形態では、説明の都合上、変換部１２０と再変換部１４０とを分けて記載したが、これに限定されない。変換部１２０と再変換部１４０とは、その物理的な機械部品（ハードウェア）の多くが共通するため、中継装置１１０Ａは、変換部１２０および再変換部１４０を一体として備えるようにしてもよい。
【００６５】
中継装置１１０Ａには、外部の商用電源（図示省略）から電力が供給される。しかし、中継装置１１０Ａは商用電源から電力が供給される場合に限定されず、例えば、中継装置１１０Ａはキャパシタや二次電池などの蓄電装置を備える（内蔵する）ようにしてもよい。
【００６６】
なお、中継装置１１０Ａは、変換部１２０の前段、または、再変換１４０の後段に、通信信号Ｆ3および通信信号Ｆ4の信号レベルを増幅する増幅部を備えるようにしてもよい。
【００６７】
中継装置１１０Ｂは、変換部１６０と、伝送部１７０と、再変換部１８０と、を備える。
【００６８】
変換部１６０には、外部から有線または無線で、通信信号Ｆ3および通信信号Ｆ4が入力される。前述した各第２伝送装置５０Ａ，５０Ｂの変換部７０と同様に、第２基準周波数ｆR2に基づいて、通信信号Ｆ3を第２伝送信号ＦCに、通信信号Ｆ4を第２伝送信号ＦDに、それぞれ変換する。変換部１６０は、例えば、発信回路（オシレータ）、位相同期回路（ＰＬＬ）、バンドパスフィルタ、デュプレクサ（分波器）などで構成することが可能である。また、変換部１６０は、変換した第２伝送信号ＦCおよび第２伝送信号ＦDと、第２基準周波数ｆR2を有する第２基準信号ＦR2と、を伝送部１７０に出力する。
【００６９】
伝送部１７０は、前述した各第２伝送装置５０Ａ，５０Ｂの伝送部８０と同様に、第２基準周波数ｆR2の第２基準信号ＦR2と、変換部１６０において変換した第２伝送信号ＦCおよび第２伝送信号ＦDと、を合成して電気伝送線路ＥＬを介して伝送する。具体的には、伝送部１７０は、第２基準信号ＦR2と、第２伝送信号ＦCと、第２伝送信号ＦDと、を合成して第２合成信号ＦYを作成する。そして、伝送部１７０は、合成した第２合成信号ＦYを、電気伝送線路ＥＬを介して中継装置１１０Ａに伝送する。
【００７０】
伝送部１７０が合成した第２合成信号ＦYは、前述しように、図５に示す周波数スペクトルを有する。よって、第２基準周波数ｆR2に基づいて、２つの通信信号Ｆ3，Ｆ4を、それぞれ互いに異なる周波数ｆCの第２伝送信号ＦCと周波数ｆDの第２伝送信号ＦDとに、それぞれ変換し、第２基準周波数ｆR2の第２基準信号ＦR2と第２伝送信号ＦCおよび第２伝送信号ＦDとを合成することにより、合成した第２合成信号ＦYを、複数の通信信号Ｆ3，Ｆ4を含む１つの電気信号として電気伝送線路ＥＬを介して伝送することが可能となる。
【００７１】
また、伝送部１７０は、電気伝送線路ＥＬを介して伝送される第１合成信号ＦXを再変換部１８０に出力する。
【００７２】
再変換部１８０は、前述した各第２伝送装置５０Ａ，５０Ｂの再変換部６０と同様に、電気伝送線路ＥＬを介して伝送される第１合成信号ＦXにおいて、第１基準信号ＦR1に基づいて、第１伝送信号ＦAを通信信号Ｆ3に、第１伝送信号ＦBを通信信号Ｆ4に、それぞれ変換する。
【００７３】
電気伝送線路ＥＬを介して伝送される第１合成信号ＦXは、前述しように、図３に示す周波数スペクトルを有する。よって、第１基準信号ＦR1に基づいて、第１伝送信号ＦAを通信信号Ｆ3に、第１伝送信号ＦBを通信信号Ｆ4に、それぞれ変換することにより、電気伝送線路ＥＬを介して伝送された第１合成信号ＦXから、複数の通信信号Ｆ3，Ｆ4を再現（復元）することが可能となる。
【００７４】
また、再変換部１８０は、変換した通信信号Ｆ3および通信信号Ｆ4を、有線または無線で外部に出力する。再変換部１８０は、例えば、位相同期回路（ＰＬＬ）、バンドパスフィルタ、デュプレクサ（分波器）などで構成することが可能である。
【００７５】
本実施形態では、説明の都合上、変換部１６０と再変換部１８０とを分けて記載したが、これに限定されない。変換部１６０と再変換部１８０とは、その物理的な機械部品（ハードウェア）の多くが共通するため、中継装置１１０Ｂは、変換部１６０および再変換部１８０を一体として備えるようにしてもよい。
【００７６】
中継装置１１０Ｂには、外部の商用電源（図示省略）から電力が供給される。しかし、中継装置１１０Ｂは商用電源から電力が供給される場合に限定されず、例えば、中継装置１１０Ｂはキャパシタや二次電池などの蓄電装置を備える（内蔵する）ようにしてもよい。
【００７７】
なお、中継装置１１０Ｂは、変換部１６０の前段、または、再変換１８０の後段に、通信信号Ｆ3および通信信号Ｆ4の信号レベルを増幅する増幅部を備えるようにしてもよい。
【００７８】
本実施形態では、説明の便宜上、通信信号Ｆ3および通信信号Ｆ4は、無線信号Ｆ1および無線信号Ｆ2と同一の周波数ｆ0を有する例を示したが、これに限定されない。通信信号Ｆ3と通信信号Ｆ4とは、同一の周波数を中心とする所定の周波数帯域を有する信号であればよい。
【００７９】
また、本実施形態では、説明の簡略化のために、中継装置１１０Ａから中継装置１１０Ｂへ中継する複数する複数の通信信号、および、中継装置１１０Ｂから中継装置１１０Ａへ中継する複数する複数の通信信号、として、同一の周波数帯域の通信信号Ｆ3および通信信号Ｆ4を用いる例を示したが、これに限定されない。例えば、中継装置１１０Ａから中継装置１１０Ｂへ中継する複数する複数の通信信号と、中継装置１１０Ｂから中継装置１１０Ａへ中継する複数する複数の通信信号とは、互いに異なる周波数帯域の通信信号であってもよい。
【００８０】
このように、本実施形態によれば、中継装置１１０Ａが第１基準周波数ｆR1に基づいて、２つの通信信号Ｆ3，Ｆ4を、それぞれ互いに異なる周波数ｆAの第１伝送信号ＦAと周波数ｆBの第１伝送信号ＦBとに、それぞれ変換し、第１基準周波数ｆR1の第１基準信号ＦR1と変換した第１伝送信号ＦAおよび第１伝送信号ＦBとを合成する。これにより、合成した第１合成信号ＦXを、複数の通信信号Ｆ3，Ｆ4を含む１つの電気信号として電気伝送線路ＥＬを介して伝送することが可能となる。また、中継装置１１０Ａが、第２基準信号ＦR2に基づいて、第２伝送信号ＦCを通信信号Ｆ3に、第２伝送信号ＦDを通信信号Ｆ4に、それぞれ変換する。これにより、電気伝送線路ＥＬを介して伝送された第２合成信号ＦYから、複数の通信信号Ｆ3，Ｆ4を再現（復元）することが可能となる。したがって、中継装置１１０Ａは、１本の電気伝送線で複数の通信信号Ｆ3，Ｆ4を中継することができ、中継する通信信号の数が増えても電気伝送線の数を増やす必要がなく、従来と比較して、電気伝送線路ＥＬのコストを削減することができ、電気伝送線路ＥＬを介して複数の通信信号Ｆ3，Ｆ4を安価に中継することができる。
【００８１】
また、本実施形態によれば、中継装置１１０Ｂが第２基準周波数ｆR2に基づいて、２つの通信信号Ｆ3，Ｆ4を、それぞれ互いに異なる周波数ｆCの第２伝送信号ＦCと周波数ｆDの第２伝送信号ＦDとに、それぞれ変換し、第２基準周波数ｆR2の第２基準信号ＦR2と第２伝送信号ＦCおよび第２伝送信号ＦDとを合成する。これにより、合成した第２合成信号ＦYを、複数の通信信号Ｆ3，Ｆ4を含む１つの電気信号として電気伝送線路ＥＬを介して伝送することが可能となる。また、中継装置１１０Ｂが、第１基準信号ＦR1に基づいて、第１伝送信号ＦAを通信信号Ｆ3に、第１伝送信号ＦBを通信信号Ｆ4に、それぞれ変換する。これにより、電気伝送線路ＥＬを介して伝送された第１合成信号ＦXから、複数の通信信号Ｆ3，Ｆ4を再現（復元）することが可能となる。したがって、中継装置１１０Ｂは、１本の電気伝送線で複数の通信信号Ｆ3，Ｆ4を中継することができ、中継する通信信号の数が増えても電気伝送線の数を増やす必要がなく、従来と比較して、電気伝送線路ＥＬのコストを削減することができ、複数の通信信号Ｆ3，Ｆ4を安価に中継することができる。
【００８２】
なお、前述した各実施形態の構成は、組み合わせたり、あるいは一部の構成部分を入れ替えたりしたりしてもよい。また、本発明の構成は前述した各実施形態のみに限定されるものではなく、本発明の要旨を逸脱しない範囲内において種々変更を加えてもよい。
【符号の説明】
【００８３】
１０…第１伝送装置
２０…変換部
３０…伝送部
４０…再変換部
５０Ａ，５０Ｂ…第２伝送装置
５１…アンテナ
５２…アンテナ
６０…再変換部
７０…変換部
８０…伝送部
１００…伝送システム
１１０Ａ，１１０Ｂ…中継装置
１２０…変換部
１３０…伝送部
１４０…再変換部
１６０…変換部
１７０…伝送部
１８０…再変換部
Ｂ…無線基地局
ＣＳ…中継システム
ｂ１，ｂ２…アンテナ
ＥＬ…電気伝送線路
ＥＬ1，ＥＬ2…電気伝送線
Ｆ1，Ｆ2…無線信号
Ｆ3，Ｆ4…通信信号
ＦA，ＦB…第１伝送信号
ＦC，ＦD…第２伝送信号
ＦR1…第１基準信号
ＦR2…第２基準信号
ＦX…第１合成信号
ＦY…第２合成信号
ｆ0，ｆA，ｆB，ｆC，ｆD…周波数
ｆR1…第１基準周波数
ｆR2…第２基準周波数
Ｌ1，Ｌ2…信号線
Ｍ１，Ｍ２…移動局
ＲＳ…無線通信システム
【図１】
2014090382.tif 000003
【図２】
2014090382.tif 000004
【図３】
2014090382.tif 000005
【図４】
2014090382.tif 000006
【図５】
2014090382.tif 000007
【図６】
2014090382.tif 000008